(57)【要約】【課題】  化粧材の化粧材取付具への取付が容易であると共に、取付後は強固な化粧材取付構造を構成する化粧材取付具を提供する。【解決手段】  化粧材取付具１０は、長尺の化粧材を下地に取り付けるために用いられる。化粧材取付具１０は、下地に固定される取付具本体１１と、取付具本体１１に対して、化粧材との非係合位置から係合位置に向かう方向に可動に設けられ、化粧材に係合してその幅方向の少なくとも一方及び／又は前方への移動を規制する可動係合部材１２と、を備え、可動係合部材１２が係合位置から非係合位置に向かう方向に移動するのを阻止する係合解除阻止構造が構成されている。【選択図】図１
2005060954.tif 000002
【特許請求の範囲】
【請求項１】
長尺の化粧材を下地に取り付けるために用いられる化粧材取付具であって、
下地に固定される取付具本体と、該取付具本体に対して、化粧材との非係合位置から係合位置に向かう方向に可動に設けられ、化粧材に係合してその幅方向の少なくとも一方及び／又は前方への移動を規制する可動係合部材と、を備え、
上記可動係合部材が上記係合位置から上記非係合位置に向かう方向に移動するのを阻止する係合解除阻止構造が構成されていることを特徴とする化粧材取付具。
【請求項２】
請求項１に記載された化粧材取付具において、
上記可動係合部材は、上記係合位置から上記係合解除阻止構造が解除される位置に可動に構成されていることを特徴とする化粧材取付具。
【発明の詳細な説明】
【技術分野】
【０００１】
本発明は、長尺の化粧材を下地に取り付けるために用いられる化粧材取付具に関する。
【背景技術】
【０００２】
建築物の外壁、破風等の美観を向上させるために化粧材が用いられる。近年、かかる化粧材の取付は、ビスや釘で直接化粧材を下地に打ち付けて取り付ける工法から、下地に化粧材取付具を装着してその化粧材取付具を介して化粧材を取り付ける工法に移行してきている。
【０００３】
かかる化粧材取付具として、特許文献１には、化粧材取付具に化粧材裏面を押圧する板バネを設けることについて開示されており、これによって化粧材の前後方向におけるガタツキを防止することができると記載されている。
【０００４】
また、特許文献２には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【特許文献１】特開平８−２７０２００号公報
【特許文献２】特開平１０−３０６５７２号公報
【発明の開示】
【発明が解決しようとする課題】
【０００５】
ところで、一般に、下地に化粧材を強固に取り付けることができる化粧材取付具では、化粧材の化粧材取付具への取付に困難を伴う場合が多い。
【０００６】
本発明は、かかる点に鑑みてなされたものであり、その目的とするところは、化粧材の化粧材取付具への取付が容易であると共に、取付後は強固な化粧材取付構造を構成する化粧材取付具を提供することにある。
【課題を解決するための手段】
【０００７】
上記目的を達成する本発明は、長尺の化粧材を下地に取り付けるために用いられる化粧材取付具であって、
下地に固定される取付具本体と、該取付具本体に対して、化粧材との非係合位置から係合位置に向かう方向に可動に設けられ、化粧材に係合してその幅方向の少なくとも一方及び／又は前方への移動を規制する可動係合部材と、を備え、
上記可動係合部材が上記係合位置から上記非係合位置に向かう方向に移動するのを阻止する係合解除阻止構造が構成されていることを特徴とする。
【０００８】
上記の構成によれば、取付具本体を下地に固定した後に、取付具本体に化粧材をあてがい、最後に可動係合部材を移動させることで化粧材を取り付けることができる。従って、可動係合部材が障害となることなく、化粧材取付具に化粧材を容易に取り付けることができる。また、係合解除阻止構造により可動係合部材の係合位置から非係合位置に向かう方向への移動が阻止されているので、化粧材の取付後は、強固な化粧材取付構造を構成することができる。
【０００９】
本発明は、上記可動係合部材が、上記係合位置から上記係合解除阻止構造が解除される位置に可動に構成されているものであってもよい。
【００１０】
化粧材を強固に取り付けても、施工状態が思わしくない場合等には、一旦、化粧材を取り外す必要が生じることがある。しかしながら、上記の構成によれば、強固な化粧材取付構造を構成しながらも、可動係合部材を係合位置から係合解除阻止構造が解除される位置に移動させることにより、可動係合部材の化粧材への係合を解除して化粧材を容易に取り外すことができる。
【発明の効果】
【００１１】
以上説明したように、本発明によれば、化粧材の化粧材取付具への取付が容易であると共に、取付後は強固な化粧材取付構造を構成することができる。
【発明を実施するための最良の形態】
【００１２】
以下、本発明の実施形態を図面に基づいて詳細に説明する。
【００１３】
（実施形態１）
図１及び２は、本発明の実施形態１に係る化粧材取付具１０を示す。この化粧材取付具１０は、長尺の化粧材を下地に横方向に延びるように取り付けるために用いられるものである。
【００１４】
この化粧材取付具１０は、縦長の略長方形の金属板により取付具本体１１が構成されている。
【００１５】
取付具本体１１の上部には、上辺から矩形に切り取られた欠損部１３が形成されている。欠損部１３の両側辺のそれぞれには、内向きに張り出した一対の張出舌片１３ａが設けられている。また、取付具本体１１の上部裏面には、四隅のかしめ留めにより金属板状の背面部材１４が設けられている。そして、欠損部１３には、それと略同一の大きさの金属板で形成された可動係合部材１２が、張出舌片１３ａと背面部材１４との間で保持されるように設けられている。
【００１６】
可動係合部材１２は、欠損部１３に嵌め込まれたスライド部１２ａとその下端に続いて前方に延びた後に先端が下方に屈曲した可動係合片１２ｂとを備えている。図３に示すように、スライド部１２ａの裏面には、上面を有する断面直角三角形状に形成された突起部１２ｃが左右２列で上下方向に複数配設されている。また、背面部材１４のスライド部１２ａの突起部１２ｃに対応する部分には、上側を基端として前側斜め下方に延びるように形成された矩形舌片１４ａが上下方向に複数配設されている。これにより、可動係合部材１２は、上から下に向かって移動させるときには突起部１２ｃが矩形舌片１４ａに係合しないことからスムーズに移動することができるのに対し、下から上に向かって移動させようとしても突起部１２ｃが矩形舌片１４ａに係合することから移動することができないようになっている。
【００１７】
また、取付具本体１１の上部には、両側辺のそれぞれにＬ字状に切り込みが入れられて上側が基端となる舌辺が切り出されている。各舌辺は、前方に延びた後に屈曲して上方に延びるように形成されており、それによって断面コの字状の上側係合部１５が構成されている。
【００１８】
取付具本体１１の下部には、下部を略三等分するように下辺に一対の真っ直ぐな切り込みが入れられて三枚の舌辺が切り出されている。それらのうち両側の舌辺のそれぞれは、前方に延びた後に屈曲して上方に延びるように形成されており、それによって断面コの字状の下側係合部１６が構成されている。
【００１９】
取付具本体１１の中央、下部の真ん中の舌片、及び、各上側係合部１５の下方に露出した背面部材１４には、固定具挿通孔１７が形成されている。
【００２０】
取付具本体１１の両側片のそれぞれの中央には、上下方向の位置合わせ用のＶ字欠損１８が形成されている。
【００２１】
次に、この化粧材取付具１０を用いた化粧材の取付方法について説明する。
【００２２】
ここで、図４に示すように、化粧材１００は、裏面に化粧材取付具１０の上側係合部１５及び下側係合部１６に対応するように長手方向に延びる上側係合凹部１１０及び下側係合凹部１２０がそれぞれ形成されている。上側係合凹部１１０は、断面略Ｔ字状に形成されており、上側から垂下した垂下突起１１１と下側から隆起した隆起突起１１２とが形成されている。下側係合凹部１２０は、断面略Ｌ字状に形成されており、上側から垂下した垂下突起１２１が形成されている。なお、化粧材１００は、ケイ酸カルシウム等の水硬化性材料等を長尺に押出成形して形成されたもの等である。
【００２３】
まず、化粧材１００を下地５００に取り付けるときには、化粧材取付具１０を下地５００表面に横方向に間隔をあけて複数装着固定する。このとき、この化粧材取付具１０の装着固定は、位置合わせ用のＶ字欠損１８を下地５００に標したラインに合わせて位置決めした後、固定具挿通孔１７に釘を挿通させて下地５００に打ちつけ、固定具挿通孔１７に釘の頭部を係合させることにより行う。
【００２４】
次いで、図５に示すように、化粧材１００の上側係合凹部１１０の垂下突起１１１を化粧材取付具１０の上側係合部１５に上方から挿入するようにして上側係合部１５を上側係合凹部１１０に係合させる。それと同時に、化粧材１００の下側係合凹部１２０の垂下突起１２１を化粧材取付具１０の下側係合部１６に上方から挿入するようにして下側係合部１６を下側係合凹部１２０に係合させる。これにより、化粧材１００は、その下方（幅方向の一方）及び前方への移動が規制される。なお、このとき、必要に応じて、上側及び下側係合部１６の内側に弾性接着剤を付着させてもよい。
【００２５】
次いで、図５に点線で示すように、可動係合部材１２を下向きに移動させ、可動係合片１２ｂを化粧材１００の上側係合凹部１１０の隆起突起１１２に当接させて上側係合凹部１１０に係合させる。これにより、化粧材１００は、その上方（幅方向の他方）及び前方への移動が規制される。また、このとき、可動係合部材１２は、突起部１２ｃが矩形舌片１４ａに係合しないので上から下に向かってはスムーズに移動するのに対し、可動係合片１２ｂが上側係合凹部１１０に係合した後は、突起部１２ｃが矩形舌片１４ａに係合するので、下から上に向かう移動が阻止される。つまり、可動係合部材１２が係合位置から非係合位置に向かう方向に移動するのを阻止する係合解除阻止構造が構成される。
【００２６】
以上により、化粧材取付具１０の上側及び下側係合部１６が化粧材１００の上側係合凹部１１０及び下側係合凹部１２０にそれぞれ係合して化粧材１００の下方及び前方への移動が規制されると共に、化粧材取付具１０の可動係合部材１２が化粧材１００の上側係合凹部１１０に係合して化粧材１００の上方への移動が規制され、化粧材１００が下地５００に強固に取り付けられた化粧材取付構造が構成される。
【００２７】
上記構成の化粧材取付具１０によれば、下地５００への化粧材１００の取付に際して、まず、化粧材取付具１０を下地５００に装着固定した後に、化粧材取付具１０の上側係合部１５を化粧材１００の上側係合凹部１１０に係合させると共に下側係合部１６を下側係合凹部１２０に係合させ、最後に、可動係合部材１２を上側係合凹部１１０に係合させる。従って、化粧材取付具１０への化粧材１００の取付に際しては、上側係合部１５、下側係合部１６、或いは、可動係合部材１２がその障害となることなく、化粧材取付具１０に化粧材１００を容易に取り付けることができる。
【００２８】
また、可動係合部材１２の突起部１２ｃと背面部材１４の矩形舌片１４ａとの係合による係合解除阻止構造が構成され、可動係合部材１２の係合位置から非係合位置に向かう方向への移動が阻止されているので、化粧材１００の取付後は、上記のように強固な化粧材取付構造を構成することができる。
【００２９】
なお、施工状態が思わしくない場合等には、一旦、化粧材１００を取り外す必要が生じることがある。そのような場合、可動係合部材１２と背面部材１４との間に金属板を挿入することにより、突起部１２ｃと矩形舌片１４ａとの係合を強制解除させ、可動係合部材１２を係合位置から非係合位置に向かう方向への移動させて化粧材１００を取り外すことは可能である。
【００３０】
（実施形態２）
図６（ａ）〜（ｄ）は、本発明の実施形態２に係る化粧材取付具２０の上部を示す。この化粧材取付具２０は、長尺の化粧材を下地に横方向に延びるように取り付けるために用いられるものである。
【００３１】
この化粧材取付具２０では、欠損部２３が可動係合部材２２よりも幅広に形成されており、張出舌片２３ａの張出量が大きく形成されている。これにより、図６（ａ）及び（ｂ）に示すように、可動係合部材２２が欠損部２３を幅方向にスライド移動できるようになっている。また、背面部材２４には、欠損部２３によって露出した部分の幅方向の一方側に矩形舌片２４ａが上下方向に一列配設されている。さらに、可動係合部材２２には、突起部２２ｃが一列配設されている。これにより、可動係合部材２２が図６（ａ）に示す位置にあるときには、可動係合部材２２の突起部２２ｃと背面部材２４の矩形舌片２４ａとの係合による係合解除阻止構造が構成され、図６（ｃ）に示すように、可動係合部材２２の係合位置から非係合位置に向かう方向への移動が阻止される。一方、可動係合部材２２が図６（ｂ）に示す位置にあるときには、可動係合部材２２の突起部２２ｃが係合するものがなく、図６（ｄ）に示すように、可動係合部材２２の係合位置から非係合位置に向かう方向への移動が可能となる。このように、可動係合部材２２は、係合位置から係合解除阻止構造が解除される位置への移動が可能となっている。
【００３２】
その他の構成は実施形態１と同一である。
【００３３】
化粧材を強固に取り付けても、施工状態が思わしくない場合等には、一旦、化粧材を取り外す必要が生じることがある。しかしながら、上記構成の化粧材取付具２０によれば、強固な化粧材取付構造を構成しながらも、可動係合部材２２を係合位置からその側方の係合解除阻止構造が解除される位置にスライド移動させることにより、可動係合部材２２の化粧材への係合を解除して化粧材を容易に取り外すことができる。
【００３４】
その他の作用効果は実施形態１と同一である。
【００３５】
（実施形態３）
図７は、本発明の実施形態３に係る化粧材取付具３０を示す。この化粧材取付具３０は、角部用の長尺の化粧材を下地に縦方向に延びるように取り付けるために用いられるものである。
【００３６】
この化粧材取付具３０は、横長の略長方形の金属板を長尺部３３と短尺部３４とが構成されるように略Ｌ字状に形成したものにより取付具本体３１が構成されている。
【００３７】
取付具本体３１の長尺部３３の側部には、側辺から矩形に切り取られた欠損部３３が形成されている。欠損部３３の上辺及び下辺のそれぞれには、内向きに張り出した張出舌片３３ａが設けられている。また、長尺部３３の側部裏面には、四隅のかしめ留めにより金属板状の背面部材３４が設けられている。そして、欠損部３３には、それと略同一の大きさの金属板で形成された可動係合部材３２が、張出舌片３３ａと背面部材３４との間で保持されるように設けられている。
【００３８】
可動係合部材３２は、欠損部３３に嵌め込まれたスライド部３２ａとその角部側端に続いて前方に延びた後に先端が角部側に屈曲した可動係合片３２ｂとを備えている。実施形態１の図３に示すのと同様に、スライド部３２ａの裏面には、側端側に平面を有する断面直角三角形状に形成された突起部３２ｃが横方向に複数配設されている。また、背面部材３４のスライド部３２ａの突起部３２ｃに対応する部分には、側部側を基端として前側斜め内向きに延びるように形成された矩形舌片３４ａが横方向に複数配設されている。これにより、可動係合部材３２は、側部側から角部側に向かって移動させるときには突起部３２ｃが矩形舌片３４ａに係合しないことからスムーズに移動することができるのに対し、角部側から側部側に向かって移動させようとしても突起部３２ｃが矩形舌片３４ａに係合することから移動することができないようになっている。
【００３９】
また、長尺部３３の側部には、上辺及び下辺のそれぞれにＬ字状に切り込みが入れられて上側が基端となる舌辺が切り出されている。各舌辺は、前方に延びた後に先端が角部側に屈曲するように形成されており、それによって位置決め部３５が構成されている。
【００４０】
さらに、長尺部３３の角部側には、金属板を断面略コの字状に形成した突条嵌合部材３８が上下方向に延びるように２箇所のかしめ留めで設けられている。
【００４１】
取付具本体３１の短尺部３４には、側部を略三等分するように側辺に一対の真っ直ぐな切り込みが入れられて三枚の舌辺が切り出されている。それらのうち上側及び下側の舌辺のそれぞれは、前方に延びた後に屈曲して角部側に延びるように形成されており、それによって断面コの字状の固定係合部３６が構成されている。
【００４２】
短尺部３４の真ん中の舌片には、固定具挿通孔３７が形成されている。また、長尺部３３の背面部材３４及び突条嵌合部材３８のかしめ留め部分が固定具挿通孔３７を構成している。
【００４３】
図８は、この化粧材取付具３０を用いた化粧材取付構造を示す。
【００４４】
この化粧材取付具３０によって取り付けられる化粧材３００は、断面略Ｌ字状の角部用のものであり、裏面に化粧材取付具３０の可動係合部材３２及び固定係合部３６に対応するように長手方向に延びる長尺部側係合凹部３１０及び短尺部側係合凹部３２０がそれぞれ形成されている。長尺部側係合凹部３１０及び短尺部側係合凹部３２０は、いずれも断面略Ｌ字状に形成されており、側部側に突出した係合突条３１１，３２１が形成されている。また、突条嵌合部材３８に対応して、一対のコの字溝３３０が並行して長手方向に延びるように形成されており、それらのコの字溝３３０で挟まれた嵌合突条３４０が形成されている。なお、化粧材３００は、ケイ酸カルシウム等の水硬化性材料等を長尺に押出成形して形成されたもの等である。
【００４５】
化粧材３００を下地５００に取り付けるときには、まず、化粧材取付具３０を下地５００表面に縦方向に間隔をあけて複数装着固定する。このとき、この化粧材取付具３０の装着固定は、固定具挿通孔３７に釘を挿通させて下地５００に打ちつけ、固定具挿通孔３７に釘の頭部を係合させることにより行う。
【００４６】
次いで、化粧材３００の短尺部側係合凹部３２０の係合突条３２１を化粧材取付具３０の固定係合部３６に側方から挿入するようにして固定係合部３６を短尺部側係合凹部３２０に係合させる。それと同時に、化粧材３００の嵌合突条３４０を化粧材取付具３０の突条嵌合部材３８に嵌め込み、さらに、位置決め部３５を化粧材３００の側辺に沿わせて当接させる。これにより、化粧材３００は、位置決めがなされると共に、短尺部３４前方及び側部側（幅方向の一方）への移動が規制される。なお、このとき、必要に応じて、固定係合部３６の内側に弾性接着剤を付着させてもよい。
【００４７】
次いで、可動係合部材３２を角部側に移動させ、可動係合片３２ｂを化粧材３００の長尺部側係合凹部３１０の係合突条３１１に当接させて長尺部側係合凹部３１０に係合させる。これにより、化粧材３００は、さらに長尺部３３前方及び側部側（幅方向の他方）への移動が規制される。また、このとき、可動係合部材３２は、突起部３２ｃが矩形舌片３４ａに係合しないので側部側から角部側に向かってはスムーズに移動するのに対し、可動係合片３２ｂが長尺部側係合凹部３１０に係合した後は、突起部３２ｃが矩形舌片３４ａに係合するので、角部側から側部側に向かう移動が阻止される。つまり、可動係合部材３２が係合位置から非係合位置に向かう方向に移動するのを阻止する係合解除阻止構造が構成される。
【００４８】
以上により、化粧材取付具３０の固定係合部３６が化粧材３００の短尺部側係合凹部３２０に係合して化粧材３００の短尺部３４前方及び側部側への移動が規制されると共に、化粧材取付具３０の可動係合部材３２が化粧材３００の長尺部側係合凹部３１０に係合して化粧材３００の長尺部３３前方及び側部側への移動が規制され、化粧材３００が下地５００に強固に取り付けられた化粧材取付構造が構成される。
【００４９】
上記構成の化粧材取付具３０によれば、下地５００への化粧材３００の取付に際して、まず、化粧材取付具３０を下地５００に装着固定した後に、化粧材取付具３０の固定係合部３６を化粧材３００の短尺部側係合凹部３２０に係合させると共に突条嵌合部材３８に嵌合突条３４０を嵌め込み、最後に、可動係合部材３２を長尺部側係合凹部３１０に係合させる。従って、化粧材取付具３０への化粧材３００の取付に際しては、固定係合部３６、突条嵌合部材３８、或いは、可動係合部材３２がその障害となることなく、化粧材取付具３０に化粧材３００を容易に取り付けることができる。
【００５０】
また、可動係合部材３２の突起部３２ｃと背面部材３４の矩形舌片３４ａとの係合による係合解除阻止構造が構成され、可動係合部材３２の係合位置から非係合位置に向かう方向への移動が阻止されているので、化粧材３００の取付後は、強固な化粧材取付構造を構成することができる。
【００５１】
なお、この化粧材取付具３０も、実施形態１の場合と同様に、可動係合部材３２と背面部材３４との間に金属板を挿入することにより、突起部３２ｃと矩形舌片３４ａとの係合を強制解除させ、可動係合部材３２を係合位置から非係合位置に向かう方向への移動させて化粧材３００を取り外すことは可能である。
【００５２】
（実施形態４）
図９は、本発明の実施形態４に係る化粧材取付具４０を示す。この化粧材取付具４０は、長尺の化粧材を下地に縦方向に延びるように取り付けるために用いられるものである。
【００５３】
この化粧材取付具４０は、横長の略長方形の金属板により取付具本体４１が構成されている。
【００５４】
取付具本体４１の一方の側部には、側辺から矩形に切り取られた欠損部４３が形成されている。欠損部４３の上辺及び下辺のそれぞれには、内向きに張り出した一対の張出舌片４３ａが設けられている。また、取付具本体４１の側部裏面には、四隅のかしめ留めにより金属板状の背面部材４４が設けられている。そして、欠損部４３には、それと略同一の大きさの金属板で形成された可動係合部材４２が、張出舌片４３ａと背面部材４４との間で保持されるように設けられている。
【００５５】
可動係合部材４２は、欠損部４３に嵌め込まれたスライド部４２ａとその外側端に続いて前方に延びた後に先端が内側に屈曲した可動係合片４２ｂとを備えている。実施形態１の図３に示すのと同様に、スライド部４２ａの裏面には、外側に平面を有する断面直角三角形状の突起部４２ｃが横方向に配設されるように複数形成されている。また、背面部材４４のスライド部４２ａの突起部４２ｃに対応する部分には、外側を基端として斜め内向きに延びるように形成された矩形舌片４４ａが横方向に配設されるように複数形成されている。これにより、可動係合部材４２は、外側から内側に向かって移動させるときには突起部４２ｃが矩形舌片４４ａに係合しないことからスムーズに移動することができるのに対し、内側から外側に向かって移動させようとしても突起部４２ｃが矩形舌片４４ａに係合することから移動することができないようになっている。
【００５６】
取付具本体４１の他方の側部は、断面略コの字状に折り返された固定係合部４５が形成されている。
【００５７】
取付具本体４１の中央及び固定係合部４５側の部分には、固定具挿通孔４７が形成されている。
【００５８】
図１０は、この化粧材取付具４０を用いた化粧材取付構造を示す。
【００５９】
この化粧材取付具４０によって取り付けられる化粧材４００は、長尺の平板状のものであり、裏面側の両側辺のそれぞれに沿って側方に突出した係合突条４１０，４２０が形成されている。なお、化粧材４００は、ケイ酸カルシウム等の水硬化性材料等を長尺に押出成形して形成されたもの等である。
【００６０】
化粧材４００を下地５００に取り付けるときには、まず、化粧材取付具４０を下地５００表面に縦方向に間隔をあけて複数装着固定する。このとき、この化粧材取付具４０の装着固定は、固定具挿通孔４７に釘を挿通させて下地５００に打ちつけ、固定具挿通孔４７に釘の頭部を係合させることにより行う。
【００６１】
次いで、化粧材４００の一方の係合突条４１０を化粧材取付具４０の固定係合部４５に側方から挿入するようにして係合突条４１０を固定係合部４５に係合させる。
【００６２】
次いで、可動係合部材４２を内側に移動させ、可動係合片４２ｂを化粧材４００の他方の係合突条４２０に係合させる。これにより、化粧材４００は、前方及び幅方向への移動が規制される。また、このとき、可動係合部材４２は、突起部４２ｃが矩形舌片４４ａに係合しないので外側から内側に向かってはスムーズに移動するのに対し、可動係合片４２ｂが係合突条４２０に係合した後は、突起部４２ｃが矩形舌片４４ａに係合するので、内側から外側に向かう移動が阻止される。つまり、可動係合部材４２が係合位置から非係合位置に向かう方向に移動するのを阻止する係合解除阻止構造が構成される。
【００６３】
以上により、化粧材取付具４０の固定係合部４５及び可動係合部材４２が化粧材４００の係合突条４１０，４２０に係合して化粧材４００の前方及び幅方向への移動が規制され、化粧材４００が下地５００に強固に取り付けられた化粧材取付構造が構成される。
【００６４】
上記構成の化粧材取付具４０によれば、下地５００への化粧材４００の取付に際して、まず、化粧材取付具４０を下地５００に装着固定した後に、化粧材取付具４０の固定係合部４５を化粧材４００の一方の係合突条４１０に係合させ、最後に、可動係合部材４２を他方の係合突条４２０に係合させる。従って、化粧材取付具４０への化粧材４００の取付に際しては、固定係合部４５、或いは、可動係合部材４２がその障害となることなく、化粧材取付具４０に化粧材４００を容易に取り付けることができる。
【００６５】
また、可動係合部材４２の突起部４２ｃと背面部材４４の矩形舌片４４ａとの係合による係合解除阻止構造が構成され、可動係合部材４２の係合位置から非係合位置に向かう方向への移動が阻止されているので、化粧材４００の取付後は、強固な化粧材取付構造を構成することができる。
【００６６】
なお、この化粧材取付具４０も、実施形態１の場合と同様に、可動係合部材４２と背面部材４４との間に金属板を挿入することにより、突起部４２ｃと矩形舌片４４ａとの係合を強制解除させ、可動係合部材４２を係合位置から非係合位置に向かう方向への移動させて化粧材４００を取り外すことは可能である。
【００６７】
（その他の実施形態）
上記実施形態１〜４では、可動係合部材１２，２２，３２，４２の突起部１２ｃ，２２ｃ，３２ｃ，４２ｃと背面部材１４，２４，３４，４４の矩形舌片１４ａ，２４ａ，３４ａ，４４ａとの係合により係合解除阻止構造を構成したが、特にこれに限定されるものではなく、可動係合部材が非係合位置から係合位置に向かう方向に可動とする一方、その逆行を規制する構造であれば、他のものであってもよい。
【産業上の利用可能性】
【００６８】
以上説明したように、本発明は、長尺の化粧材を下地に取り付けるために用いられる化粧材取付具について有用である。
【図面の簡単な説明】
【００６９】
【図１】実施形態１に係る化粧材取付具の斜視図である。
【図２】実施形態１に係る化粧材取付具の分解斜視図である。
【図３】実施形態１に係る化粧材取付具の係合解除阻止構造を示す図である。
【図４】実施形態１の化粧材の側面図である。
【図５】実施形態１の化粧材取付構造の側面図である。
【図６】実施形態２に係る化粧材取付具の上部の斜視図である。
【図７】実施形態３に係る化粧材取付具の斜視図である。
【図８】実施形態３の化粧材取付構造の側面図である。
【図９】実施形態４に係る化粧材取付具の斜視図である。
【図１０】実施形態４の化粧材取付構造の側面図である。
【符号の説明】
【００７０】
１０，２０，３０，４０  化粧材取付具
１１，２１，３１，４１  取付具本体
１２，２２，３２，４２  可動係合部材
１２ａ，２２ａ，３２ａ，４２ａ  スライド部
１２ｂ，２２ｂ，３２ｂ，４２ｂ  可動係合片
１２ｃ，２２ｃ，３２ｃ，４２ｃ  突起部
１３，２３，３３，４３  欠損部
１３ａ，２３ａ，３３ａ，４３ａ  張出舌片
１４，２４，３４，４４  背面部材
１４ａ，２４ａ，３４ａ，４４ａ  矩形舌片
１５  上側係合部
１６  下側係合部
１７，２７，３７，４７  固定具挿通孔
１８  Ｖ字欠損
３３  長尺部
３４  短尺部
３５  位置決め部
３６，４５  固定係合部
３８  突条嵌合部材
１００，３００，４００  化粧材
１１０  上側係合凹部
１１１，１２１  垂下突起
１１２  隆起突起
１２０  下側係合凹部
３１０  長尺部側係合凹部
３１１，３２１，４１０，４２０  係合突条
３２０  短尺部側係合凹部
３３０  コの字溝
３４０  嵌合突条
５００  下地
【図１】
2005060954.tif 000003
【図２】
2005060954.tif 000004
【図３】
2005060954.tif 000005
【図４】
2005060954.tif 000006
【図５】
2005060954.tif 000007
【図６】
2005060954.tif 000008
【図７】
2005060954.tif 000009
【図８】
2005060954.tif 000010
【図９】
2005060954.tif 000011
【図１０】
2005060954.tif 000012